(57)【要約】【課題】薄型平面表示装置を防塵防滴等のための筐体に収めて構成された案内表示器において、薄型平面表示装置の寸法変更に伴い発生する交換部品を低減する。【解決手段】本発明の案内表示器は、薄型平面表示装置１ａと、前記薄型平面表示装置の背面に取り付けられ該薄型平面表示装置を支持するフレーム４ａと、前記フレームの周縁部に合わされる開口Ｈが形成された筐体後面部材Ｂを有した後側筐体部品３ａとを備え、前記フレーム及び前記筐体後面部材が筐体の後面を構成する。【選択図】図３
2008310139.tif 000002
【特許請求の範囲】
【請求項１】
薄型平面表示装置と、
前記薄型平面表示装置の背面に取り付けられ該薄型平面表示装置を支持するフレームと、
前記フレームの周縁部に合わされる開口が形成された筐体後面部材を有した後側筐体部品とを備え、
前記フレーム及び前記筐体後面部材が筐体の後面を構成する案内表示器。
【請求項２】
前記後側筐体部品は、前記筐体後面部材に連続して、筐体の上下面及び両側面を構成する部材を形成している請求項１に記載の案内表示器。
【発明の詳細な説明】
【技術分野】
【０００１】
本発明は、案内表示器に関する。
【背景技術】
【０００２】
近時、液晶表示装置、プラズマ表示装置等の薄型平面表示装置の大型化、低廉化に伴い、鉄道向け案内表示器としても従来のＬＥＤ表示装置に代え薄型平面表示装置を用いた案内表示器の実用化が進められつつある。
図７に示すように、薄型平面表示装置を用いた２つの案内表示器１０１，１０２が背合せに連結されて吊下げ設置される場合がある。かかる案内表示器１０１，１０２には、図７及び図８に示すような連結具１０３が用いられる。
汎用の薄型平面表示装置は屋内用を想定して構成されているため、これを用いた案内表示器１０１，１０２を駅プラットホーム等の半野外等に設置する場合、案内表示器１０１，１０２は、防塵防滴等のための筐体内に汎用の薄型平面表示装置を収めた構成を有する。
【発明の開示】
【発明が解決しようとする課題】
【０００３】
しかし、薄型平面表示装置のさらなる大型化、低廉化に伴い、薄型平面表示装置の交換の際に、同寸法仕様の薄型平面表示装置が入手できない事態が生じ得る。また、より大画面の薄型平面表示装置に交換したいという要請が生じ得る。
薄型平面表示装置をより大画面のものに変更する場合、防塵防滴等のための筐体もより大きなものに交換せねばならない。
【０００４】
本発明は以上の従来技術における問題に鑑みてなされたものであって、薄型平面表示装置を防塵防滴等のための筐体に収めて構成された案内表示器において、薄型平面表示装置の寸法変更に伴い発生する交換部品を低減することを課題とする。
【課題を解決するための手段】
【０００５】
以上の課題を解決するための請求項１記載の発明は、薄型平面表示装置と、
前記薄型平面表示装置の背面に取り付けられ該薄型平面表示装置を支持するフレームと、
前記フレームの周縁部に合わされる開口が形成された筐体後面部材を有した後側筐体部品とを備え、
前記フレーム及び前記筐体後面部材が筐体の後面を構成する案内表示器である。
【０００６】
請求項２記載の発明は、前記後側筐体部品は、前記筐体後面部材に連続して、筐体の上下面及び両側面を構成する部材を形成している請求項１に記載の案内表示器である。
【発明の効果】
【０００７】
本発明の案内表示器によれば、薄型平面表示装置を支持し筐体の後面の一部を構成するフレームを交換することなく、後側筐体部品やこの後側筐体部品に連結され前側等を覆う筐体部品を交換することにより、薄型平面表示装置の寸法変更に対応することができるという効果がある。薄型平面表示装置の寸法変更に伴って、筐体の後面の一部を構成するフレームを交換することなく継続使用することができる。
【発明を実施するための最良の形態】
【０００８】
以下に本発明の一実施形態につき図面を参照して説明する。以下は本発明の一実施形態であって本発明を限定するものではない。
【０００９】
本発明の一実施形態に係る案内表示器の吊下状態を示す斜視図を図１に、平面図を図２に、側面図を図３に示す。
【００１０】
図１〜図３に示すように、本実施形態に係る案内表示器は、２つの案内表示器を背合せに連結して吊下げ状態に設置される形態のものである。本実施形態に係る案内表示器は、液晶表示装置等の薄型平面表示装置（フラットパネルディスプレイ：以下「ＦＰＤ」という。）１ａ，１ｂと、前側筐体部品２ａ，２ｂと、後側筐体部品３ａ，３ｂと、背面取付フレーム４ａ，４ｂとを備えて構成され、アングル調整連結具５ａ，５ｂと、吊下連結具６と、吊下支柱８，８とを介して吊下げ設置される。
【００１１】
吊下連結具６は吊下支柱８，８の下端に連結固定されている。吊下連結具６の両側に、アングル調整連結具５ａ，５ｂが防振ゴム１０を介して連結される。なお、吊下連結具６にはサイドカバー１３が取付可能となっている。サイドカバー１３によって配線等を隠し美観を高めることができる。設置やメンテナンスの作業時にはサイドカバー１３を取り外しておくことができる。
【００１２】
アングル調整連結具５ａ，５ｂに背面取付フレーム４ａ，４ｂが連結固定されている。
背面取付フレーム４ａ，４ｂの周縁部に後側筐体部品３ａ，３ｂの後面に形成された開口Ｈが合されて背面取付フレーム４ａ，４ｂに後側筐体部品３ａ，３ｂがネジ止めにより固定されている。
背面取付フレーム４ａ，４ｂには、ＦＰＤ１ａ，１ｂ及び電源装置、通信装置等の必要な装置が固定されている。
蓋をするようにして、後側筐体部品３ａ，３ｂに前側筐体部品２ａ，２ｂが連結されている。図４に示すように、前側筐体部品２ａ，２ｂは蝶番Ｃを介して後側筐体部品３ａ，３ｂに対して開閉自在に連結されているとともに、支持アームＧによって開状態に保持できるように構成されており、メンテナンス性が高められている。
【００１３】
本案内表示器の筐体は、前側筐体部品２、後側筐体部品３及び背面取付フレーム４の３パーツによって構成されている。
後側筐体部品３の後面には、背面取付フレーム４の周縁部に合わされる開口Ｈが形成されている。開口Ｈの周囲に筐体後面部材Ｂが形成されている。筐体後面部材Ｂは背面取付フレーム４に対して隙間無く配置される。後側筐体部品３の開口Ｈの縁部には背面取付フレーム４へのネジ止めのための孔を有した部分が設けられている。開口Ｈの縁部は、背面取付フレーム４の周縁部に重なってもよいが、開口Ｈは、背面取付フレーム４に取り付けられるＦＰＤ１ａ，１ｂその他の物の取付部位を囲むように配置される。  
本案内表示器の筐体の後面は、背面取付フレーム４及び筐体後面部材Ｂによって構成される。背面取付フレーム４は、筐体後面のほぼ中央に配置されている。背面取付フレーム４は、筐体後面の中央から偏在してもよいが、筐体後面部材Ｂは、背面取付フレーム４の周囲四方に設けることが好ましい。筐体後面部材Ｂは、背面取付フレーム４の周囲を覆う額縁部分となる。    
【００１４】
後側筐体部品３は、筐体後面部材Ｂの外周縁に連続して、筐体の上下面及び両側面を構成する部材Ａ１〜Ａ４を一体に形成している。後側筐体部品３を筐体後面部材Ｂのみの部品としても良いが、部材Ａ１〜Ａ４と一体に形成することにより、強度を高め、部品構成を簡素化することができる。
【００１５】
前側筐体部品２には、筐体の前面を構成する筐体前面部材Ｆと、上下面及び両側面を構成する部材Ｄ１〜Ｄ４とが構成されている。筐体前面部材Ｆは案内表示面を構成する。前側筐体部品２の上下左右面Ｄ１〜Ｄ４は、後側筐体部品３の上下左右面Ａ１〜Ａ４より外側に配置されており、前側筐体部品２の縦横寸法は、後側筐体部品３のそれより大きくされている。これにより、前側筐体部品２及び後側筐体部品３によって構成される上下左右面は段差を有した構造に構成される。特に、利用者の目に入りやすい下面及び左右面に大きく段差が形成される。筐体の下面及び左右面に前側を大きくする段差が形成されていることによって、より薄型に感じられるという視覚的効果を奏することができる。
【００１６】
以上のような構造の案内表示器によれば、図５及び図６に示すように、ＦＰＤ１をより大型のＦＰＤ１０１に交換する場合に、前側筐体部品２及び後側筐体部品３を、より大型の前側筐体部品１０２及び後側筐体部品１０３に交換するだけで済み、背面取付フレーム４やこれに連結される連結具５，６を継続使用することができる。
なお、背面取付フレーム４に後側筐体部品１０３を連結固定した後、背面取付フレーム４にＦＰＤ１０１を取り付けて組立てる。
【図面の簡単な説明】
【００１７】
【図１】本発明の一実施形態に係る案内表示器の吊下状態を示す斜視図である。
【図２】本発明の一実施形態に係る案内表示器の吊下状態を示す平面図である。
【図３】本発明の一実施形態に係る案内表示器の吊下状態を示す側面図である。
【図４】本発明の一実施形態に係る案内表示器の開状態を示す側面図である。
【図５】本発明の一実施形態に係る案内表示器の側面図(a)及び筐体分解側面図（ｂ）である。
【図６】本発明の一実施形態に係る案内表示器の大型後の筐体分解側面図 (a)及び側面図（ｂ）である。
【図７】従来例に係る案内表示器の吊下状態を示す斜視図である。
【図８】従来例に係る案内表示器の分解構成図である。
【符号の説明】
【００１８】
１ａ，１ｂ  ＦＰＤ
２ａ，２ｂ    前側筐体部品
３ａ，３ｂ    後側筐体部品
４ａ，４ｂ    背面取付フレーム
５ａ，５ｂ    アングル調整連結具
６     吊下連結具
【図１】
2008310139.tif 000003
【図２】
2008310139.tif 000004
【図３】
2008310139.tif 000005
【図４】
2008310139.tif 000006
【図５】
2008310139.tif 000007
【図６】
2008310139.tif 000008
【図７】
2008310139.tif 000009
【図８】
2008310139.tif 000010